(57)【要約】【課題】経絡の好調不調を客観的に判定し、被検者の身体の診断に利用できる経絡温熱刺激診断装置を提供する。【解決手段】経絡に対応する被検者の体表面に当てられて温熱刺激を与える温熱刺激具１と、被検者が温熱刺激を感じるまでの時間を測定する時間測定部８と、８秒以上１２秒以下の場合は正常であるが、８秒より少ない又は１２秒よりも多い場合は疾患の存在の可能性を判定する身体判定部６と、を有する。【選択図】図１
2019136053.tif 000002
【特許請求の範囲】
【請求項１】
経絡に対応する被検者の体表面に当てられて前記被検者に温熱刺激を与える温熱刺激具と、
前記温熱刺激具が前記被検者の体表面のうち経絡に対応した位置に当てられてから、前記被検者が前記温熱刺激具の温熱刺激を感じるまでの時間を測定する時間測定部と、
前記時間測定部により測定された時間が８秒以上１２秒以下の正常時間の場合は前記被検者は正常であるが、前記時間測定部により測定された時間が８秒より少ない又は１２秒よりも多い場合である異常時間の場合は前記被検者に疾患の存在の可能性を判定する身体判定部と、を有することを特徴とする経絡温熱刺激診断装置。
【請求項２】
前記経絡は、太陰肺経、陽明大腸経、陽明胃経、太陰脾経、少陰心経、太陽小腸経、太陽膀胱経、少陰腎経、厥陰心包経、少陽三焦経、少陽胆経、及び、厥陰肝経からなる１２個の経絡であることを特徴とする請求項１に記載の経絡温熱刺激診断装置。
【請求項３】
太陰肺経及び少陰心経の場合に異常時間が認められ、前記身体判定部が被検者に疾患の存在の可能性を判定する場合、前記疾患は高血圧であり、
太陰肺経及び陽明大腸経の場合に異常時間が認められ、前記身体判定部が被検者に疾患の存在の可能性を判定する場合、前記疾患は頭痛であり、
太陰肺経、陽明大腸経、少陽胆経及び太陽膀胱経の場合に異常時間が認められ、前記身体判定部が被検者に疾患の存在の可能性を判定する場合、前記疾患は脳萎縮であり、
全ての経絡の場合に８秒より少ない異常時間が認められ、前記身体判定部が被検者に疾患の存在の可能性を判定する場合、前記疾患は白血病であり、
陽明大腸経及び太陽小腸経の場合に８秒より少ない異常時間が認められ、前記身体判定部が被検者に疾患の存在の可能性を判定する場合、前記疾患は腸癌であり、
陽明胃経、太陰脾経及び厥陰肝経の場合に異常時間が認められ、前記身体判定部が被検者に疾患の存在の可能性を判定する場合、前記疾患は糖尿病又は膵臓癌であり、
少陽胆経及び厥陰肝経の場合に異常時間が認められ、前記身体判定部が被検者に疾患の存在の可能性を判定する場合、前記疾患は胆石であり、
少陰心経及び少陽胆経の場合に異常時間が認められ、前記身体判定部が被検者に疾患の存在の可能性を判定する場合、前記疾患は不眠症であり、
太陰肺経、陽明大腸経、厥陰心包経、少陽三焦経及び少陰心経の場合に８秒より少ない異常時間が認められ、前記身体判定部が被検者に疾患の存在の可能性を判定する場合、前記疾患は神経膠腫であり、
太陰肺経、陽明大腸経及び厥陰心包経の場合に異常時間が認められ、前記身体判定部が被検者に疾患の存在の可能性を判定する場合、前記疾患はALSであり、
陽明胃経、太陰脾経及び厥陰肝経の場合に異常時間が認められ、前記身体判定部が被検者に疾患の存在の可能性を判定する場合、前記疾患は糖尿病である、ことを特徴とする請求項２に記載の経絡温熱刺激診断装置。
【発明の詳細な説明】
【技術分野】
【０００１】
本発明は、経絡に対応する被検者の体表面に温熱刺激を与えて診断を行う経絡温熱刺激診断装置に関する。
【背景技術】
【０００２】
経絡は、古代中国の医学において、人体の中の気血栄衛（代謝物質）の通り道として考え出されたものである。経は経脈を、絡は絡脈を表し、経脈は縦の脈、絡脈は横の脈を意味する。経脈は十二の正経と呼ばれるものと、八の奇経と呼ばれるものがある。正経は陰陽で分類され、陰は太陰、少陰、厥陰の三陰に、陽は太陽、陽明、少陽の三陽に分けられ、手、足それぞれに三陽三陰の属する経脈が割り振られて計十二脈になる。
【０００３】
非特許文献１には、臨床において検査法および評価法の目的で用いた経絡テストの有用性が記載されている。この非特許文献１には、経絡テストによって全身から自覚していない不調を検出し、治療後の身体変化を自覚していない患者に対して経絡テスト陽性数を用いてその変化を示すことができたことが記載されている。
【０００４】
非特許文献２には、内科疾患に対する鍼灸経絡治療の有用性が記載されている。この非特許文献２には、ある臓器が不調になるとその関連する経絡の気血の流れが悪くなるため、経絡に対応する体表の経穴を針や灸を用いて刺激することにより、気血の流れを調整することで体の歪みを治し臓腑の調子を整えることができる旨が記載されている。
【０００５】
しかし、経絡の好調不調を客観的に判定し、被検者の身体の診断に応用する技術は従来に存在しなかった。
【先行技術文献】
【非特許文献】
【０００６】
【非特許文献１】経絡テストの有用性  全日本鍼灸学会雑誌 56(4), 636-643, 2006-08
【非特許文献２】内科疾患に対する鍼灸経絡治療の有用性  日医大医会誌2013; 9(4)
【発明の概要】
【発明が解決しようとする課題】
【０００７】
本発明はかかる問題点に鑑みてなされたものであって、経絡の好調不調を客観的に判定し、被検者の身体の診断に利用する経絡温熱刺激診断装置を提供することを目的とする。
【課題を解決するための手段】
【０００８】
本発明にかかる経絡温熱刺激診断装置は、経絡に対応する被検者の体表面に当てられて前記被検者に温熱刺激を与える温熱刺激具と、前記温熱刺激具が前記被検者の体表面のうち経絡に対応した位置に当てられてから、前記被検者が前記温熱刺激具の温熱刺激を感じるまでの時間を測定する時間測定部と、前記時間測定部により測定された時間が８秒以上１２秒以下の正常時間の場合は前記被検者は正常であるが、前記時間測定部により測定された時間が８秒より少ない又は１２秒よりも多い場合である異常時間の場合は前記被検者に疾患の可能性を判定する身体判定部と、を有することを特徴とする。
【発明の効果】
【０００９】
本発明によれば、経絡の好調不調を客観的に判定し、被検者の身体の診断に利用することで、簡易且つ的確な診断装置が得られる。
【図面の簡単な説明】
【００１０】
【図１】本実施形態にかかる経絡温熱刺激診断装置の概略図である。
【図２】太陰肺経、陽明大腸経、陽明胃経、太陰脾経、少陰心経、太陽小腸経、太陽膀胱経、少陰腎経、厥陰心包経、少陽三焦経、少陽胆経、及び、厥陰肝経からなる１２個の経絡を説明する図である。
【図３】各経絡の場所の具体例を示す図である。
【図４】１２経脈の流れを説明する図である。
【発明を実施するための形態】
【００１１】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１２】
図１は、本実施形態にかかる経絡温熱刺激診断装置５０の概略図である。経絡温熱刺激診断装置５０は、温熱刺激具１と、活動電位測定部２と、電源をオンオフするスイッチ３と、SDカード挿入口４と、情報を表示する画面５と、身体判定部６と、装置を冷却するための冷却ファン７と、時間測定部８と、本体１０と、を有する。活動電位測定部２は、活動電位計算部２１と、シグナル拡大部２２と、貼付用測定切片２３と、を有する。
【００１３】
温熱刺激具１は、経絡に対応する被検者の体表面に当てられて被検者に温熱刺激を与える。温熱刺激具１は棒状構造であり、その先端部に例えばヒーターが設けられており、その先端部は例えば５０℃〜８０℃にて発熱可能である。
【００１４】
時間測定部８は、例えばタイマーであり、温熱刺激具１が被検者の体表面のうち経絡に対応した位置に当てられてから、被検者が温熱刺激具の温熱刺激を感じるまでの時間を測定する。例えば温熱刺激具１が被検者の体表面に当てられた時に時間の測定を開始し、次に被検者が温熱刺激を感じる旨の発言があった時に時間の測定を停止することで、温熱刺激具１が被検者に当てられてから、被検者が温熱刺激具の温熱刺激を感じるまでの時間を測定できる。
【００１５】
なお、被検者が幼児や高齢者等の場合は、温熱刺激具１の温熱刺激を感じる旨の発言を適切に行うことができない虞もある。その場合は神経細胞や筋細胞の膜が温熱刺激に応じて活動電位を発生することを利用して、活動電位測定部２により被検者が温熱刺激を感じたか否かを判断することができる。例えば貼付用測定切片２３を被検者の腕部や脚部に貼り付け、温熱刺激に対応して発生した活動電位をシグナル拡大部２２により増幅し、活動電位計算部２１により被検者の活動電位を計算する。
【００１６】
身体判定部６は、時間測定部８により測定された時間が８秒以上１２秒以下の場合(正常時間の場合)、被検者は正常であると判定する。しかし、時間測定部８により測定された時間が８秒より少ない場合又は１２秒よりも多い場合(異常時間の場合)、被検者に疾患の存在の可能性を判定する。
【００１７】
経絡は、太陰肺経、陽明大腸経、陽明胃経、太陰脾経、少陰心経、太陽小腸経、太陽膀胱経、少陰腎経、厥陰心包経、少陽三焦経、少陽胆経、及び、厥陰肝経からなる１２個の経絡である（図２）。本発明の経絡温熱刺激診断装置５０では、温熱刺激具１を１２個全ての経絡に対応する被検者の体表面に当てて検査を行う。例えば図３に示す被検者の体表面に温熱刺激具１を当てて検査を行うことが可能である。
【００１８】
十二経脈の流れには一定の順序があり、図４に示されるように、手太陰肺経から始まり、順に従って足厥陰肝経に至り、再び太陰肺経にもどる。もっとも検査を行う１２個の経絡の順番は、特に限定されるものではない。手太陰肺経は肺に属し、大腸に絡し、手陽明大腸経は大腸に属し、肺に絡す。手厥陰心包経は心包に属し、三焦に絡し、手少陽三焦経は三焦に属し、心包に絡す。手少陰心経は心に属し、小腸に絡し、手太陽小腸経は小腸に属し、心に絡す。足太陰脾経は脾に属し、胃に絡し、足陽明胃経は胃に属し、脾に絡す。足厥陰肝経は肝に属し、胆に絡し、足少陽胆経は胆に属し、肝に絡す。足少陰腎経は腎に属し、膀胱に絡し、足太陽膀胱経は膀胱に属し、腎に絡す。即ち、肺経と大腸経、心包経と三焦経、心経と小腸経、脾経と胃経、肝経と胆経、腎経と膀胱経が、それぞれ相互に表裏を為している。
【００１９】
太陰肺経において、中府、云門、天府、侠白、少商等から選択して温熱刺激具１を当てることが可能で有り、好ましくは少商である。
【００２０】
陽明大腸経において、商陽、二間、三間、合谷、陽谿等から選択して温熱刺激具１を当てることが可能で有り、好ましくは商陽である。
【００２１】
陽明胃経において、解渓、衝陽、陥谷、内庭、レイダ等から選択して温熱刺激具１を当てることが可能で有り、好ましくはレイダである。
【００２２】
太陰脾経において、隠白、大都、太白、公孫、商丘等から選択して温熱刺激具１を当てることが可能で有り、好ましくは隠白である。
【００２３】
少陰心経において、青霊、少海、霊道、通里、陰ゲキ等から選択して温熱刺激具１を当てることが可能で有り、好ましくは陰ゲキである。
【００２４】
太陽小腸経において少沢、前谷、後渓、腕骨、陽谷等から選択して温熱刺激具１を当てることが可能で有り、好ましくは少沢である。
【００２５】
太陽膀胱経において金門、京骨、束骨、足通谷、至陰等から選択して温熱刺激具１を当てることが可能で有り、好ましくは至陰である。
【００２６】
少陰腎経において湧泉、然谷、太渓、大鐘、水泉等から選択して温熱刺激具１を当てることが可能で有り、好ましくは湧泉である。
【００２７】
厥陰心包経において間使、内関、大陵、労宮、中衝等から選択して温熱刺激具１を当てることが可能で有り、好ましくは中衝である。
【００２８】
少陽三焦経において関衝、液門、中渚、陽池、外関等から選択して温熱刺激具１を当てることが可能で有り、好ましくは関衝である。
【００２９】
少陽胆経において丘墟、足臨泣、地五会、キョウ渓、足キョウ陰等から選択して温熱刺激具１を当てることが可能で有り、好ましくは足キョウ陰である。
【００３０】
厥陰肝経において大敦、行間、太衝、中封、レイ溝等から選択して温熱刺激具１を当てることが可能で有り、好ましくは大敦である。
【００３１】
具体的には、太陰肺経及び少陰心経の場合に異常時間が認められ、前記身体判定部が被検者に疾患の存在の可能性を判定する場合、前記疾患は高血圧である。
【００３２】
太陰肺経及び陽明大腸経の場合に異常時間が認められ、身体判定部６が被検者に疾患の存在の可能性を判定する場合、その疾患は頭痛である。
【００３３】
太陰肺経、陽明大腸経、少陽胆経及び太陽膀胱経の場合に異常時間が認められ、身体判定部６が被検者に疾患の存在の可能性を判定する場合、その疾患は脳萎縮である。
【００３４】
全ての経絡の場合に８秒より少ない異常時間が認められ、身体判定部６が被検者に疾患の存在の可能性を判定する場合、その疾患は白血病である。
【００３５】
陽明大腸経及び太陽小腸経の場合に８秒より少ない異常時間が認められ、身体判定部６が被検者に疾患の存在の可能性を判定する場合、その疾患は腸癌である。
【００３６】
陽明胃経、太陰脾経及び厥陰肝経の場合に異常時間が認められ、身体判定部６が被検者に疾患の存在の可能性を判定する場合、その疾患は糖尿病又は膵臓癌である。
【００３７】
少陽胆経及び厥陰肝経の場合に異常時間が認められ、身体判定部６が被検者に疾患の存在の可能性を判定する場合、その疾患は胆石である。
【００３８】
少陰心経及び少陽胆経の場合に異常時間が認められ、身体判定部６が被検者に疾患の存在の可能性を判定する場合、その疾患は不眠症である。
【００３９】
太陰肺経、陽明大腸経、厥陰心包経、少陽三焦経及び少陰心経の場合に８秒より少ない異常時間が認められ、身体判定部６が被検者に疾患の存在の可能性を判定する場合、その疾患は神経膠腫である。
【００４０】
太陰肺経、陽明大腸経及び厥陰心包経の場合に異常時間が認められ、身体判定部６が被検者に疾患の存在の可能性を判定する場合、その疾患はALS(筋萎縮性側索硬化症)である。
【００４１】
陽明胃経、太陰脾経及び厥陰肝経の場合に異常時間が認められ、身体判定部６が被検者に疾患の存在の可能性を判定する場合、その疾患は糖尿病である。
【実施例】
【００４２】
（１）高血圧
被検者X1(男性、80歳)に対して、温熱刺激具１を１２個全ての経絡(太陰肺経、陽明大腸経、陽明胃経、太陰脾経、少陰心経、太陽小腸経、太陽膀胱経、少陰腎経、厥陰心包経、少陽三焦経、少陽胆経、及び、厥陰肝経)に対応する被検者の左右それぞれの体表面に当てて検査を行った。表１に示すように、太陰肺経及び少陰心経に８秒より少ない異常時間が認められ、身体判定部６は被検者に高血圧の存在の可能性を判定した。
【００４３】
【表１】
2019136053.tif 000003
【００４４】
（２）頭痛
被検者X2(女性、25歳)に対して、温熱刺激具１を１２個全ての経絡に対応する被検者の左右それぞれの体表面に当てて検査を行った。表２に示すように、太陰肺経及び陽明大腸経に異常時間が認められ、身体判定部６は被検者に頭痛の存在の可能性を判定した。
【００４５】
【表２】
2019136053.tif 000004
【００４６】
（３）糖尿病
被検者X3(女性、69歳)に対して、温熱刺激具１を１２個全ての経絡に対応する被検者の左右それぞれの体表面に当てて検査を行った。表３に示すように、陽明胃経、太陰脾経及び厥陰肝経に異常時間が認められ、身体判定部６は被検者に糖尿病の存在の可能性を判定した。
【００４７】
【表３】
2019136053.tif 000005
【００４８】
（４）白血病
被検者X4(男性、23歳)に対して、温熱刺激具１を１２個全ての経絡に対応する被検者の左右それぞれの体表面に当てて検査を行った。表４に示すように、全ての経絡の場合に８秒より少ない異常時間が認められ、身体判定部６は被検者に白血病の存在の可能性を判定した。
【００４９】
【表４】
2019136053.tif 000006
【００５０】
（５）脳萎縮
被検者X5(女性、49歳)に対して、温熱刺激具１を１２個全ての経絡に対応する被検者の左右それぞれの体表面に当てて検査を行った。表５に示すように、太陰肺経、陽明大腸経、少陽胆経及び太陽膀胱経に異常時間が認められ、身体判定部６は被検者に脳萎縮の存在の可能性を判定した。
【００５１】
【表５】
2019136053.tif 000007
【００５２】
（６）腸癌
被検者X6(男性、29歳)に対して、温熱刺激具１を１２個全ての経絡に対応する被検者の左右それぞれの体表面に当てて検査を行った。表６に示すように、陽明大腸経及び太陽小腸経に異常時間が認められ、身体判定部６は被検者に腸癌の存在の可能性を判定した。
【００５３】
【表６】
2019136053.tif 000008
【００５４】
（７）膵臓癌
被検者X7(男性、67歳)に対して、温熱刺激具１を１２個全ての経絡に対応する被検者の左右それぞれの体表面に当てて検査を行った。表７に示すように、陽明胃経、太陰脾経及び厥陰肝経に異常時間が認められ、身体判定部６は被検者に膵臓癌の存在の可能性を判定した。
【００５５】
【表７】
2019136053.tif 000009
【００５６】
（８）胆石
被検者X8(男性、42歳)に対して、温熱刺激具１を１２個全ての経絡に対応する被検者の左右それぞれの体表面に当てて検査を行った。表８に示すように、少陽胆経及び厥陰肝経に異常時間が認められ、身体判定部６は被検者に胆石の存在の可能性を判定した。
【００５７】
【表８】
2019136053.tif 000010
【００５８】
（９）不眠症
被検者X9(女性、45歳)に対して、温熱刺激具１を１２個全ての経絡に対応する被検者の左右それぞれの体表面に当てて検査を行った。表９に示すように、少陰心経及び少陽胆経に異常時間が認められ、身体判定部６は被検者に胆石の存在の可能性を判定した。
【００５９】
【表９】
2019136053.tif 000011
【００６０】
（１０）神経膠腫
被検者X10(女性、31歳)に対して、温熱刺激具１を１２個全ての経絡に対応する被検者の左右それぞれの体表面に当てて検査を行った。表１０に示すように、太陰肺経、陽明大腸経、厥陰心包経、少陽三焦経及び少陰心経に８秒より少ない異常時間が認められ、身体判定部６は被検者に神経膠腫の存在の可能性を判定した。
【００６１】
【表１０】
2019136053.tif 000012
【００６２】
（１１）ALS
被検者X11(男性、48歳)に対して、温熱刺激具１を１２個全ての経絡に対応する被検者の左右それぞれの体表面に当てて検査を行った。表１１に示すように、太陰肺経、陽明大腸経及び厥陰心包経に異常時間が認められ、身体判定部６は被検者にALSの存在の可能性を判定した。
【００６３】
【表１１】
2019136053.tif 000013
【産業上の利用可能性】
【００６４】
疾患の診断に利用できる。
【符号の説明】
【００６５】
１：温熱刺激具
２：活動電位測定部
３：スイッチ
４：SDカード挿入口
５：画面
６：身体判定部
７：冷却ファン
８：時間測定部
１０：本体
５０：経絡温熱刺激診断装置
【図１】
2019136053.tif 000014
【図２】
2019136053.tif 000015
【図３】
2019136053.tif 000016
【図４】
2019136053.tif 000017